(57)【要約】【課題】販売機本体を汚すことなく、誰でも簡単に交換することができる自動販売機の装飾板を提供する。【解決手段】自動販売機１の装飾板４０は、自動販売機１の扉部２０に着脱自在に取り付けられる。装飾板４０は、扉部２０の上端部２０ａに係止される上端部係止縁５１と、扉部２０の左端部２０ｂ及び右端部２０ｃに係止される左，右端部係止縁５２，５３を備えている。装飾板４０は、コイン投入口１０を表出させる第１の切り欠き４１と、操作部８を挿通する第２の切り欠き４２と、物品取出口６を表出させる第３の切り欠き４３を備えている。【選択図】        図１
2005018633.tif 000002
【特許請求の範囲】
【請求項１】
自動販売機に着脱自在に取り付けられる装飾板であって、
自動販売機は、販売機本体正面に、コインを投入可能なコイン投入口と、前記コイン投入口からコインが投入された後に操作可能となる操作部と、物品を取り出すことができる物品取出口とが設けられ、販売機本体内部に、物品を収納する物品収納室と、前記操作部の操作に応じて、前記物品収納室に収納された物品を前記物品取出口に導出する導出手段とを備え、
装飾板は、販売機本体に係止される係止縁を備え、販売機本体正面に着脱自在に取り付けられることを特徴とする自動販売機の装飾板。
【請求項２】
装飾板は、コイン投入口を表出させる第１の切り欠きと、操作部を挿通する第２の切り欠きと、物品取出口を表出させる第３の切り欠きを備えていることを特徴とする請求項１記載の自動販売機の装飾板。
【請求項３】
自動販売機の扉部に着脱自在に取り付けられる装飾板であって、
自動販売機は、販売機本体と、販売機本体正面に回動自在に設けられた扉部とからなり、販売機本体正面に、コインを投入可能なコイン投入口と、前記コイン投入口からコインが投入された後に操作可能となる操作部と、物品を取り出すことができる物品取出口とが設けられ、販売機本体内部に、物品を収納する物品収納室と、前記操作部の操作に応じて、前記物品収納室に収納された物品を前記物品取出口に導出する導出手段とを備え、
扉部は、前記コイン投入口を表出させる第１の開口と、前記操作部を挿通する第２の開口と、前記物品取出口を表出させる第３の開口を備えており、
装飾板は、扉部の上端部に係止される上端部係止縁を備えていることを特徴とする自動販売機の装飾板。
【請求項４】
装飾板は、扉部の左端部又は右端部の少なくとも一方に係止される端部係止縁を備えていることを特徴とする請求項３記載の自動販売機の装飾板。
【請求項５】
係止縁は、扉部の端部と当接する当接縁と、当接縁に対して略直角に折曲され、扉部の裏面に係合する係合縁とからなることを特徴とする請求項３又は４記載の自動販売機の装飾板。
【請求項６】
装飾板は、扉部の第１の開口と対向し、前記コイン投入口を表出させる第１の切り欠きと、扉部の第２の開口と対向し、前記操作部を挿通する第２の切り欠きと、扉部の第３の開口と対向し、前記物品取出口を表出させる第３の切り欠きを備えていることを特徴とする請求項３、４又は５記載の自動販売機の装飾板。
【発明の詳細な説明】
【０００１】
【発明の属する技術分野】
本願発明は、自動販売機に取り付けられる装飾板に関するものである。
【０００２】
【従来の技術】
従来、自動販売機は、販売機本体上部に物品を収納する物品収納室が設けられ、販売機本体下部正面にコインを投入可能なコイン投入口と、前記コイン投入口からコインが投入された後に操作可能となる操作部と、物品を取り出すことができる物品取出口とが設けられている。コインをコイン投入口から投入すると、操作部が操作可能となり、操作部を操作すると、物品収納室の底壁に設けられた回転盤が回転して、物品を物品取出口に落下させるようになっている。
【０００３】
【発明が解決しようとする課題】
従来、自動販売機は、物品収納室内に収納された物品に関連する装飾板を販売機本体正面に貼着し、物品の内容を表示していた。当該装飾板は、販売機本体から剥がれ難く、しかも無理に剥がした場合、販売機本体に接着剤が付着しており、接着剤を除去するのに手間がかかるので、交換することが極めて面倒であるという問題点があった。従って、この装飾板に表示されている内容と関連する物品以外の物品を入れ替えることができないという問題点があった。
【０００４】
また、装飾板は、貼着時に空気が入って、一部が膨らんだり、正確に位置決めして貼り付けることが難しく、誰でも簡単に取り付けることはできないという問題点があった。また、販売機本体正面のコイン投入口、操作部、物品取出口近傍に、それぞれの内容を表示する装飾板がさらに必要であり、それぞれを所定位置に正確に貼り付けていくことは、根気と経験が必要であり、誰でも簡単に行うことができず、極めて面倒であるという問題点があった。
【０００５】
本願発明は、上記問題点に鑑み案出したものであって、販売機本体を汚すことなく、誰でも簡単に交換することができ、自動販売機の物品収納室内に収納される物品の種類の変更を可能にした自動販売機の装飾板を提供することを第１の目的とする。また、１回の簡単な装着作業で自動販売機に取り付けることができ、販売機本体正面のコイン投入口、操作部、物品取出口の内容をも表示することができる自動販売機の装飾板を提供することを第２の目的とする。
【０００６】
【課題を解決するための手段】
本願請求項１に係る自動販売機の装飾板は、上記第１の目的を達成するため、自動販売機に着脱自在に取り付けられる装飾板であって、自動販売機は、販売機本体正面に、コインを投入可能なコイン投入口と、前記コイン投入口からコインが投入された後に操作可能となる操作部と、物品を取り出すことができる物品取出口とが設けられ、販売機本体内部に、物品を収納する物品収納室と、前記操作部の操作に応じて、前記物品収納室に収納された物品を前記物品取出口に導出する導出手段とを備え、装飾板は、販売機本体に係止される係止縁を備え、販売機本体正面に着脱自在に取り付けられる。
【０００７】
本願請求項２に係る自動販売機の装飾板は、上記第２の目的を達成するため、上記装飾板は、コイン投入口を表出させる第１の切り欠きと、操作部を挿通する第２の切り欠きと、物品取出口を表出させる第３の切り欠きを備えている。
【０００８】
本願請求項３に係る自動販売機の装飾板は、上記第１の目的を達成するため、自動販売機の扉部に着脱自在に取り付けられる装飾板であって、自動販売機は、販売機本体と、販売機本体正面に回動自在に設けられた扉部とからなり、販売機本体正面に、コインを投入可能なコイン投入口と、前記コイン投入口からコインが投入された後に操作可能となる操作部と、物品を取り出すことができる物品取出口とが設けられ、販売機本体内部に、物品を収納する物品収納室と、前記操作部の操作に応じて、前記物品収納室に収納された物品を前記物品取出口に導出する導出手段とを備え、扉部は、前記コイン投入口を表出させる第１の開口と、前記操作部を挿通する第２の開口と、前記物品取出口を表出させる第３の開口を備えており、装飾板は、扉部の上端部に係止される上端部係止縁を備えている。
【０００９】
本願請求項４に係る自動販売機の装飾板は、上記第１の目的を達成するため、上記装飾板は、扉部の左端部又は右端部の少なくとも一方に係止される端部係止縁を備えている。
【００１０】
本願請求項５に係る自動販売機の装飾板は、上記第１の目的を達成するため、上記係止縁は、扉部の端部と当接する当接縁と、当接縁に対して略直角に折曲され、扉部の裏面に係合する係合縁とからなる。
【００１１】
本願請求項６に係る自動販売機の装飾板は、上記第２の目的を達成するため、上記装飾板は、扉部の第１の開口と対向し、前記コイン投入口を表出させる第１の切り欠きと、扉部の第２の開口と対向し、前記操作部を挿通する第２の切り欠きと、扉部の第３の開口と対向し、前記物品取出口を表出させる第３の切り欠きを備えている。
【００１２】
【発明の実施の形態】
本願発明に係る自動販売機の装飾板の実施の形態を図面に基づいて説明する。図１は、本願発明に係る自動販売機の装飾板の一つの実施の形態を示す斜視図である。図２は、図１の装飾板の正面図である。図３は、本願発明に係る自動販売機の装飾板の他の実施の形態を示す斜視図である。図４は、図３の装飾板の正面図である。
【００１３】
自動販売機の装飾板は、自動販売機１の扉部２０に着脱自在に取り付けられる装飾板４０である。自動販売機１は、販売機本体２と、販売機本体２正面５に回動自在に設けられた扉部２０とからなる。販売機本体２正面５には、コインを投入可能なコイン投入口１０と、前記コイン投入口１０からコインが投入された後に操作可能となる操作部８と、物品Ａを取り出すことができる物品取出口６とが設けられている。販売機本体２内部には、物品Ａを収納する物品収納室３と、前記操作部８の操作に応じて、前記物品収納室３に収納された物品Ａを前記物品取出口６に導出する導出手段（回転盤）とを備えている。
【００１４】
扉部２０は、前記コイン投入口１０を表出させる第１の開口３１と、前記操作部８を挿通する第２の開口３２と、前記物品取出口６を表出させる第３の開口３３を備えている。装飾板４０は、扉部２０の上端部２０ａに係止される上端部係止縁５１を備えている。なお、装飾板４０は、図１，２に示すように、扉部２０の左端部２０ｂ又は右端部２０ｃの少なくとも一方に係止される端部係止縁５２，５３を備えていても構わない。
【００１５】
係止縁５１〜５３は、扉部２０の端部２０ａ〜２０ｃと当接する当接縁５１ａ〜５３ａと、当接縁５１ａ〜５３ａに対して略直角に折曲され、扉部２０の裏面５６に係合する係合縁５１ｂ〜５３ｂとからなるようにしても良い。装飾板４０は、扉部２０の第１の開口３１と対向し、前記コイン投入口１０を表出させる第１の切り欠き４１と、扉部２０の第２の開口３２と対向し、前記操作部８を挿通する第２の切り欠き４２と、扉部２０の第３の開口３３と対向し、前記物品取出口６を表出させる第３の切り欠き４３を備えている。
【００１６】
なお、装飾板４０は、扉部２０に取り付けるのではなく、販売機本体２に形成された隙間部に係止縁５１〜５３を係止させ、販売機本体２正面５に着脱自在に取り付けるようにしても構わない。装飾板４０は、コイン投入口１０を表出させる第１の切り欠き４１と、操作部８を挿通する第２の切り欠き４２と、物品取出口６を表出させる第３の切り欠き４３を備えている。
【００１７】
さらに自動販売機の装飾板について詳細に説明する。自動販売機１は、箱形形状の販売機本体２を有している。販売機本体２は、上部に物品Ａを収納する物品収納室３が設けられ、下部に図示しない動力伝達手段及び図示しないコインセレクターが設けられている。物品収納室３は、正面５側の一部が透過性を有する素材で形成され、内部に収納されている物品Ａを見ることができる。
【００１８】
物品収納室３の底壁には、図示しない回転盤（導出手段）が回動自在に設けられている。回転盤の周囲には、景品を収容したカプセル等の物品Ａを一つずつ収容することのできる収容孔が所定間隔あけて設けられている。物品収納室３の底壁には、回転盤の収容孔と対向する落下口が形成されている。販売機本体２には、前記物品収納室３の落下口と対向すると共に、販売機本体２の正面５右下部に形成された物品取出口６と連通する落下通路が設けられている。
【００１９】
販売機本体２の正面５略中央部には、円盤状の操作部８が設けられている。この操作部８は、前記動力伝達手段を介して前記回転盤を回転させるようになっており、回転盤の前記収容孔を前記落下口に対向させ、前記収容孔に収容されている物品Ａを底壁の落下口及び落下通路を介して前記物品取出口６に落下させるようになっている。
【００２０】
前記コインセレクターは、コイン投入口１０から投入されるコインを選別するもので、前記回転盤又は動力伝達手段と連係しており、正規のコインであることを厚みと直径によって機械的に判断し、投入されたコインが正規のものである場合は、回転盤又は動力伝達手段が回転可能となり、コインが投入されていない場合及び投入されたコインが不正のものである場合は、回転盤又は動力伝達手段が回転不能のままである。
【００２１】
コインセレクターのコイン投入口１０は、販売機本体２の正面５左上部に配置されている。また、コインセレクターは、コイン返却押し釦１１を有し、コイン返却押し釦１１は、コイン投入口１０の下方に配置されている。コイン返却口１２は、販売機本体２の正面５左下部に配置され、コインセレクターに投入されたコインが、コイン返却押し釦１１を押圧操作されることにより、コイン返却口１２に落下する。
【００２２】
さらに販売機本体２の正面５右上部には、円柱状の表示部材１３が回動自在に設けられている。表示部材１３は、周面に物品の値段、内容、コインの投入枚数等を表示する表示部１４が複数段に形成されている。
【００２３】
従って、販売機本体２の正面５には、右下部に物品取出口６が形成され、略中央部に操作部８が設けられ、左上部にコイン投入口１０が配置され、コイン投入口１０の下方にコイン返却押し釦１１が配置され、左下部にコイン返却口１２が設けられ、右上部に表示部材１３が設けられている。
【００２４】
販売機本体２の正面５には、扉部２０が回動自在に設けられている。即ち、販売機本体２の正面５は、左端部側の上下に軸受け突起２１，２２が形成され、右端部側の上下に軸受け突起２３，２４が形成されている。扉部２０は、右端部側の軸受け突起２３，２４に回動自在に取り付けられているが、左端部側の軸受け突起２１，２２に回動自在に取り付けられても良い。
【００２５】
扉部２０は、基体２５と、基体２５の上端部２０ａに形成された上折曲部２６と、基体２５の左端部２０ｂに形成された左折曲部２７と、基体２５の右端部２０ｃに形成された右折曲部２８と、基体２５の左下部に形成されたコイン返却部２９とからなる。上折曲部２６，左折曲部２７，右折曲部２８は、略Ｌ字状に折曲され、基体２５に連接された突設縁５５と、突設縁５５に連接された折曲縁５６とからなる。扉部２０は、各角部に凹部５７・・が形成され、この凹部５７・・によって前記軸受け突起２１〜２４が当たらないようになっている。
【００２６】
この扉部２０の基体２５には、コイン投入口１０と連通する第１の開口３１と、操作部８を挿通する第２の開口３２と、物品取出口６と連通する第３の開口３３と、表示部材１３を視認することができる第４の開口３４と、コイン返却押し釦１１を挿通する第５の開口３５と、コイン返却口１２と連通し、前記コイン返却部２９の上部に配置された第６の開口３６が設けられ、さらに販売機本体２の一側にロックされる錠３７が設けられている。なお、第３の開口３３及び第６の開口３６は略半円状に形成され、第１の開口３１、第２の開口３２、第４の開口３４、第５の開口３５は、略円状に形成されている。
【００２７】
装飾板４０は、合成樹脂、紙等によって薄板状に形成され、矩形板状の基板４８と、基板４８の上端部に形成された上端部係止縁５１と、基板４８の左端部に形成された左端部係止縁５２と、基板４８の右端部に形成された右端部係止縁５３とからなる。上端部係止縁５１は、扉部２０の上端部２０ａに係止される。左端部係止縁５２は、扉部２０の左端部２０ｂに係止される。右端部係止縁５３は、扉部２０の右端部２０ｃに係止される。
【００２８】
上端部係止縁５１は、基板４８の裏面５０側に折曲された上部当接縁５１ａと、上部当接縁５１ａに対して略直角に折曲された上部係合縁５１ｂとからなる。左端部係止縁５２は、基板４８の裏面５０側に折曲された左部当接縁５２ａと、左部当接縁５２ａに対して略直角に折曲された左部係合縁５２ｂとからなる。右端部係止縁５３は、基板４８の裏面５０側に折曲された右部当接縁５３ａと、右部当接縁５３ａに対して略直角に折曲された右部係合縁５３ｂとからなる。
【００２９】
装飾板４０の基板４８は、前記扉部２０の基体２５と略同じ形状であり、第１の開口３１と対向する第１の切り欠き４１と、第２の開口３２と対向する第２の切り欠き４２と、第３の開口３３と対向する第３の切り欠き４３と、第４の開口３４と対向する第４の切り欠き４４と、第５の開口３５と対向する第５の切り欠き４５と、第６の開口３６と対向する第６の切り欠き４６と、扉部２０の錠３７を挿通する第７の切り欠き４７が形成されている。なお、第３の切り欠き４３及び第６の切り欠き４６は略半円状に形成され、第１の切り欠き４１、第２の切り欠き４２、第４の切り欠き４４、第５の切り欠き４５、第７の切り欠き４７は、略円状に形成されている。
【００３０】
装飾板４０の上端部係止縁５１は、上部当接縁５１ａが扉部２０の上端部２０ａに形成された上折曲部２６の突接縁５５と当接し、上部係合縁５１ｂが上折曲部２６の折曲縁５６に係合することができる。また、左端部係止縁５２は、左部当接縁５２ａが扉部２０の左端部２０ｂに形成された左折曲部２７の突接縁５５と当接し、左部係合縁５２ｂが左折曲部２７の折曲縁５６に係合することができる。
【００３１】
装飾板４０の右端部係止縁５３は、右部当接縁５３ａが扉部２０の右端部２０ｃに形成された右折曲部２８の突接縁５５と当接し、右部係合縁５３ｂが右折曲部２８の折曲縁５６に係合することができる。なお、装飾板４０も、各角部に凹部５８・・が形成され、この凹部５８・・によって前記軸受け突起２１〜２４が当たらないようになっている。
【００３２】
装飾板４０の基板４８の表面４９には、物品Ａに関連する絵柄・模様・文字等が表示され、さらに自動販売機１の各部の内容を表示する表示部が形成されている。第１の切り欠き４１近傍には、コイン投入口１０を表示する第１の表示部６１が形成されている。第２の切り欠き４２近傍には、操作部８の回転方向を表示する第２の表示部６２が形成されている。第５の切り欠き４５近傍には、コイン返却押し釦１１を表示する第５の表示部６５が形成されている。第６の切り欠き４６近傍には、コイン返却口１２を表示する第６の表示部６６が形成されている。さらに、基板４８の左側には、注意事項を表示した第８の表示部６８が形成されている。
【００３３】
自動販売機１の装飾板４０は、上記構成を有し、自動販売機１の扉部２０に着脱自在に取り付けられる。装飾板４０を素材の弾性を利用して、基板４８を若干撓め、上端部係止縁５１を扉部２０の上端部２０ａに係止し、左端部係止縁５２を扉部２０の左端部２０ｂに係止し、右端部係止縁５３を扉部２０の右端部２０ｃに係止する。装飾板４０の上端部係止縁５１は、上部当接縁５１ａが扉部２０の上折曲部２６の突接縁５５と当接し、上部係合縁５１ｂが上折曲部２６の折曲縁５６に係合する。同様に、左端部係止縁５２は、左部当接縁５２ａが扉部２０の左折曲部２７の突接縁５５と当接し、左部係合縁５２ｂが左折曲部２７の折曲縁５６に係合する。右端部係止縁５３は、右部当接縁５３ａが扉部２０の右折曲部２８の突接縁５５と当接し、右部係合縁５３ｂが右折曲部２８の折曲縁５６に係合する。
【００３４】
基板４８は、第１の切り欠き４１が扉部２０の第１の開口３１と対向し、第２の切り欠き４２が扉部２０の第２の開口３２と対向し、第３の切り欠き４３が扉部２０の第３の開口３３と対向し、第４の切り欠き４４が扉部２０の第４の開口３４と対向し、第５の切り欠き４５が扉部２０の第５の開口３５と対向し、第６の切り欠き４６が扉部２０の第６の開口３６と対向し、第７の切り欠き４７から扉部２０の錠３７が表出する。
【００３５】
従って、第１の切り欠き４１からコイン投入口１０が表出し、第２の切り欠き４２から操作部８が突出し、第３の切り欠き４３から物品取出口６が表出し、第４の切り欠き４４から表示部材１３が表出し、第５の切り欠き４５からコイン返却押し釦１１が突出し、第６の切り欠き４６からコイン返却口１２が表出する。自動販売機１は、上記第１の表示部６１，第２の表示部６２，第５の表示部６５，第６の表示部６６，第８の表示部６８の表示に従って操作することができる。
【００３６】
自動販売機１の装飾板４０は、装飾板４０を素材の弾性を利用して、基板４８を若干撓め、上端部係止縁５１を扉部２０の上端部２０ａから外し、左端部係止縁５２を扉部２０の左端部２０ｂから外し、右端部係止縁５３を扉部２０の右端部２０ｃから外すことによって、扉部２０から取り外すことができる。
【００３７】
このように、自動販売機１の装飾板４０は、扉部２０に簡単に着脱可能なので、物品収納室３に収納される物品Ａに合わせて簡単に交換することができる。また、扉部２０に取り付けるだけで、第１の切り欠き４１、第２の切り欠き４２、第３の切り欠き４３、第４の切り欠き４４、第５の切り欠き４５、第６の切り欠き４６、第７の切り欠き４７、第１の表示部６１、第２の表示部６２、第５の表示部６５、第６の表示部６６、第８の表示部６８が所定の位置に位置決めされるので、位置合わせが不要であり、誰でも簡単に取り付けることができる。
【００３８】
上記実施の形態では、自動販売機１の装飾板４０は、左端部係止縁５２と右端部係止縁５３を備えているが、図３，４に示すように、左端部係止縁５２と右端部係止縁５３を備えていなくても構わない。係る場合であっても、装飾板４０は、軸受け突起２１〜２４に規制され、安定して取り付けられる。なお、基板４８の裏面４９に、扉部２０の基体２５の表面に固着される固着手段５９を設けると、装飾板４０は、一層安定して取り付けられる。この固着手段５９は、両面テープ、磁性板等である。
【００３９】
さらに上記実施の形態では、自動販売機１の装飾板４０は、扉部２０に着脱自在に取り付けるようにしたが、販売機本体２の構造上形成される隙間を利用して、販売機本体２の正面５に直接取り付けるようにしても構わない。
【００４０】
【発明の効果】
以上説明してきたように、本願発明に係る自動販売機の装飾板は、係止縁を販売機本体に係止するだけで簡単に取り付けることができ、従来のように接着剤を利用して貼着しないので、販売機本体を汚すことなく誰でも簡単に交換することができ、交換を容易にしたので、自動販売機の物品収納室内に収納される物品の種類の変更をすることができるという効果がある。また、１回の簡単な装着作業で自動販売機に取り付けることができ、各部の位置決め（位置合わせ）が不要であり、販売機本体正面のコイン投入口、操作部、物品取出口の内容をも表示することができるので、コイン投入口、操作部、物品取出口近傍に、それぞれの内容を表示する装飾板を設ける必要がないという効果がある。
【図面の簡単な説明】
【図１】本願発明に係る自動販売機の装飾板の一つの実施の形態を示す斜視図である。
【図２】図１の装飾板の正面図である。
【図３】本願発明に係る自動販売機の装飾板の他の実施の形態を示す斜視図である。
【図４】図３の装飾板の正面図である。
【符号の説明】
Ａ  物品
１  自動販売機
２  販売機本体
３  物品収納室
５  正面
６  物品取出口
８  操作部
１０  コイン投入口
１１  コイン返却押し釦
１２  コイン返却口
１３  表示部材
１４  表示部
２０  扉部
２０ａ  上端部
２０ｂ  左端部
２０ｃ  右端部
２１  軸受け突起
２２  軸受け突起
２３  軸受け突起
２４  軸受け突起
２５  基体
２６  上折曲部
２７  左折曲部
２８  右折曲部
２９  コイン返却部
３１  第１の開口
３２  第２の開口
３３  第３の開口
３４  第４の開口
３５  第５の開口
３６  第６の開口
３７  錠
４０  装飾板
４１  第１の切り欠き
４２  第２の切り欠き
４３  第３の切り欠き
４４  第４の切り欠き
４５  第５の切り欠き
４６  第６の切り欠き
４７  第７の切り欠き
４８  基板
４９  表面
５０  裏面
５１  上端部係止縁
５１ａ  上部当接縁
５１ｂ  上部係合縁
５２  左端部係止縁
５２ａ  左部当接縁
５２ｂ  左部係合縁
５３  右端部係止縁
５３ａ  右部当接縁
５３ｂ  右部係合縁
５５  突設縁
５６  折曲縁（裏面）
５７  凹部
５８  凹部
５９  固着手段
６１  第１の表示部
６２  第２の表示部
６５  第５の表示部
６６  第６の表示部
６８  第８の表示部
【図１】
2005018633.tif 000003
【図２】
2005018633.tif 000004
【図３】
2005018633.tif 000005
【図４】
2005018633.tif 000006